(57)【要約】 【課題】  緩衝材が外箱と一体に形成され、低コストであり、梱包物品数の変更に容易に対応できる梱包箱を提供すること。【解決手段】  ４つの側板部１，２，３，４および接合板部５が一続きになり、側板部１の一端部と接合板部５の一端部とを重ね合わせ接合した四角形筒状の胴部１０と、底部１１とからなる箱体であり、側板部１と側板部２の間の稜６の一部を凹ました折り曲げ凹部１ａと、側板部２と側板部３の間の稜の一部を凹ました折り曲げ凹部２ａと、側板部３と側板部４の間の稜の一部を凹ました折り曲げ凹部と、側板部４と接合板部５の間の稜の一部を凹ました折り曲げ凹部４ａと、側板部２上部を凹ました押さえ面部（傾斜面２ｃ）と、側板部４上部を凹ました押さえ面部とを備える梱包箱である。【選択図】  図１
2007099329.tif 000002
【特許請求の範囲】
【請求項１】
シート材を折り曲げ接合してなり、四角形筒状の胴部と、底部とを有する梱包箱において、前記胴部の稜には、梱包物を固定するための、箱内側では凸部となり箱外面では直方体状の凹部となる折り曲げ凹部が設けられると共に、前記胴部の上面では中央部が開放され、前記胴部の正面部または背面部の端部を折り曲げて形成した傾斜面からなる前記梱包物を固定するための押さえ面部が設けられたことを特徴とする梱包箱。
【請求項２】
前記折り曲げ凹部の大きさが前記梱包物の個数に対応して定められることを特徴とする請求項１記載の梱包箱。
【請求項３】
前記梱包物は電子部品用のテーピングリールであることを特徴とする請求項１または２記載の梱包箱。
【発明の詳細な説明】
【技術分野】
【０００１】
本発明は荷物の梱包箱に関し、特に電子部品用テーピングリールの梱包に適した梱包箱に関する。
【背景技術】
【０００２】
まず、図１４に、従来の、チップ型固体電解コンデンサを出荷するためのテーピングリールの梱包箱を斜視図で示す。１は第１の側板部、２は正面部となる第２の側板部、３は第３の側板部、４は背面部となる第４の側板部、７は正面部に設けられ内部を確認するためのスリット、また１０は胴部を示し、１１は底部、１２は上蓋を示している。この梱包箱はダンボール紙を外形加工し、折り曲げ、接続して形成される。
【０００３】
一般に、電子部品をはじめとするテーピングリールに巻き取られた製品の既存の梱包は、（１）ダンボール紙等の厚紙による梱包箱を用いる場合、（２）ダンボール紙等の厚紙の外箱と発泡ウレタン材や、合成樹脂フィルム製のエアーマット等を用いて、物品に巻き付けたり、折り曲げたり、あるいはダンボール紙や、発泡ウレタン製の複数のパーツを組み立てて形成する組立方式の緩衝材を梱包装置の中に入れて行う場合がある。
【０００４】
たとえば、特許文献１には、ダンボール紙を折り曲げて形成された緩衝材を用いた電子部品用梱包収納具が開示されている。このように、梱包物に対応して種々の梱包装置が用いられている。
【０００５】
【特許文献１】特開２００５−２１９７９２号公報
【発明の開示】
【発明が解決しようとする課題】
【０００６】
従来の梱包装置では以下のような問題点がある。（１）緩衝材を用いない場合は、梱包部品数などによって梱包装置の複数種類が必要であり、包装原価が割高となる。また、（２）緩衝材を用いる場合には緩衝材の複数種類が必要であり、包装原価が割高となる。さらに、（３）緩衝材に発泡ウレタン材やスチロール樹脂等の合成樹脂を用いた場合には、環境に悪影響を及ぼす。
【０００７】
詳述すると、（１）緩衝材を用いない場合は、一度に梱包するテーピングリール数に合せた梱包装置の種類が必要であり、（２）緩衝材を用いる場合には緩衝材の種類が必要であり、ダンボール紙や、発泡ウレタン材を用いた複数のパーツを組み立てて形成する組立方式の緩衝材では、複数種類のパーツが必要であり、そのパーツの増加や、貼り合わせ部が必要であったりして、緩衝材の組立が煩雑であり、特に、（３）緩衝材に発泡ウレタン材やスチロール樹脂等の合成樹脂を用いた場合には、使用後の廃棄処理が面倒であり、焼却処理における有害ガスの発生の問題がある。
【０００８】
このような状況にあって、本発明の課題は、緩衝材が外箱と一体に形成され、低コストであり、梱包物品数の変更に容易に対応できる梱包箱を提供することを課題とする。
【課題を解決するための手段】
【０００９】
上記課題を解決するために、本発明の梱包箱は、シート材を折り曲げ接合してなり、四角形筒状の胴部と、底部とを有する梱包箱において、前記胴部の稜には、梱包物を固定するための、箱内側では凸部となり箱外面では直方体状の凹部となる折り曲げ凹部が設けられると共に、前記胴部の上面は中央部が開放され、前記胴部の正面部または背面部の端部を折り曲げて形成した傾斜面からなる前記梱包物を固定するための押さえ面部が設けられたことを特徴とする。
【００１０】
前記折り曲げ凹部の大きさは前記梱包物の個数に対応して定めることができる。
【００１１】
前記梱包物は電子部品用のテーピングリールとすることができる。
【発明の効果】
【００１２】
本発明の梱包箱においては、（１）箱の胴部の４つの稜に緩衝材となる、凹部を備えているので、複数のパーツを必要とせずに１枚のシート材から簡単に組み立てることができ、緩衝材も不要である。また、（２）その凹部の大きさを変更することによって、梱包部品数の変化に対応できる。さらに、（３）環境に優しいダンボール紙等の厚紙のみを用いて形成できるので、使用後の廃棄処理が容易であり、焼却処理における有害ガスの発生の問題もない。
【発明を実施するための最良の形態】
【００１３】
次に図面に基づいて本発明の実施の形態を説明する。
【００１４】
図１は本発明の実施の形態１でのテーピングリール１巻を収めた梱包箱を示す斜視図であり、この梱包箱は１枚のダンボール紙を外形加工し、折り曲げ、接合し、角の稜線部に梱包物を緩衝的に固定するための凹部を設けることによって作製する。図１において、１は第１の側板部、２は正面部となる第２の側板部、３は第３の側板部、４は背面部となる第４の側板部であり、上面の中央付近が開放され、胴部１０と底部１１を有する箱が形成されている。この箱にチップ型固体電解コンデンサのテーピングリール９が１巻収められ、これを緩衝材として固定するための折り曲げ凹部１ａ，２ａ，４ａおよび折り曲げ凹部３ａ（図示せず）が胴部１０の４つの稜６に、直方体状の空間部を形成するように設けられている。この折り曲げ凹部１ａ〜４ａは内側では直方体状の凸部となり、テーピングリール９の側面を４箇所で押さえることにより、横方向への動きを抑制している。他方、正面の第２の側板部２の上方は、テーピングリールに対して押さえ面部となる傾斜面２ｃを形成するために５本の線上で折り曲げられている。また、図示を省略するが、背面にも同様の傾斜面が形成され、前後２つの傾斜面によって、テーピングリール９の上方向への動きが抑制されている。
【００１５】
図９に本実施の形態１に係る梱包箱の展開図を示し、その梱包箱の組立について説明する。同図において、２点鎖線で折り曲げ線１６が示され、そのうち縦の折り曲げ線が胴部の稜となる。この稜に垂直に切り込み線１５が各稜につき３本ずつ形成されており、上下側に位置する大きな折り曲げ凹部または小さな折り曲げ凹部が形成される。また、第１の側板部１と接合板部５は一部が重なり、そこで接着剤により接合される。また、箱の上方においては、傾斜面２ｃは折り曲げ線１６に沿った折り曲げにより形成され、傾斜面４ｃも同様に形成される。さらに、底面部は横方向の折り曲げ線１６の下側の部分の端部が互いに重ね合わされ形成される。
【００１６】
次に折り曲げ凹部の大きさを変えることによって、２〜５巻の範囲でテーピングリールを収める梱包箱について説明する。
【００１７】
図２は本発明の実施の形態１でのテーピングリール２巻を収めた梱包箱を示す斜視図である。同図では折り曲げ凹部２ａが小さく形成され、それによって２巻重ねられたテーピングリール９の側面を押さえることができる。ところで、傾斜面２ｃの折り曲げについては、１巻のテーピングリールを収めた図１の場合と同様である。
【００１８】
このテーピングリール２巻を収めた本発明の実施の形態１の梱包箱を三角法による図６、図７、図８でさらに説明する。図６（ａ）はその正面図、図６（ｂ）はその背面図、図７（ａ）はその右側面図、図７（ｂ）は左側面図、図８（ａ）は平面図、図８（ｂ）は底面図である。
【００１９】
図６（ａ）と図６（ｂ）が示すように、正面部に形成された折り曲げ凹部２ａと背面部に形成された折り曲げ凹部３ａとがテープリールの一方の側面を押さえ、正面部に形成された折り曲げ凹部１ａと背面部に形成された折り曲げ凹部４ａとがテープリールの他方の側面を押さえることになる。
【００２０】
また、図７（ａ）のように、右側面の中心付近で、第１の側部板１と接合板部５が接合される。さらに、折り曲げ凹部１ａと４ａは異なる高さに形成されている。そして、図７（ａ）、図７（ｂ）のように、傾斜面２ｃと４ｃはテーピングリールの斜め上部を押さえることになる。
【００２１】
また、図８（ａ）のように、胴部はダンボール紙を一巻きして作られ、第１の側部板と接合板部５が重ね合わされ接合されている。また、図８（ｂ）と展開図の図９を比べると、底面部ではダンボール紙の一部が折り曲げられ重ね合わされていることが分かる。
【００２２】
さらにテーピングリールの個数を増やした場合を説明する。図３は本発明の実施の形態１でのテーピングリール３巻を収めた梱包箱を示す斜視図である。同図では折り曲げ凹部１ａ，２ａがいずれも小さく形成され、それによって３巻重ねられたテーピングリール９の側面を押さえることができる。
【００２３】
図４は本発明の実施の形態１でのテーピングリール４巻を収めた梱包箱を示す斜視図である。同図では正面の左右の稜のうち、左側の稜にのみ折り曲げ凹部２ａが小さく形成され、それによって４巻重ねられたテーピングリール９の側面を押さえることができる。
【００２４】
図５は本発明の実施の形態１でのテーピングリール５巻を収めた梱包箱を示す斜視図である。同図では胴部の４つの稜に折り曲げ凹部は形成されず、胴部の内面がテーピングリール９の動きを抑制する。また、胴部の上方に正面側の傾斜面２ｃと背面側の傾斜面（図示せず）が形成され、テーピングリール９の上下方向の動きを抑制する。
【００２５】
次に本発明の実施の形態２の梱包箱を説明する。図１０は本実施の形態２でのテーピングリール２巻を収めた梱包箱を示す斜視図である。本実施の形態では正面に内部を確認するための丸窓８が設けられており、他部については実施の形態１と同様である。
【００２６】
その梱包箱を三角法で詳細に示すと、図１１、図１２、図１３のようになる。図１１は本実施の形態２に係る梱包箱を示し、図１１（ａ）は正面図、図１１（ｂ）は背面図である。
【００２７】
図１２（ａ）はその右側面図、図１２（ｂ）は左側面図、図１３（ａ）は平面図、図１３（ｂ）は底面図である。
【００２８】
以上のように、本発明の実施の形態で説明した梱包箱は、複数のパーツを必要とせずに簡単に組み立てることができ、緩衝材も不要であるだけでなく、梱包部品数の変化に対応できる。また、使用後の廃棄処理が容易であり、焼却処理における有害ガスの発生の問題もない。
【００２９】
以上の実施の形態ではチップ型固体電解コンデンサ用の１〜５巻のテーピングリールを収める梱包箱について説明したが、本発明の梱包箱は、電子部品用テーピングリール以外にも、厚板状の梱包対象をその個数に依らず梱包できる梱包箱として使用することができる。  
【図面の簡単な説明】
【００３０】
【図１】本発明の実施の形態１でのテーピングリール１巻を収めた梱包箱を示す斜視図。
【図２】本発明の実施の形態１でのテーピングリール２巻を収めた梱包箱を示す斜視図。
【図３】本発明の実施の形態１でのテーピングリール３巻を収めた梱包箱を示す斜視図。
【図４】本発明の実施の形態１でのテーピングリール４巻を収めた梱包箱を示す斜視図。
【図５】本発明の実施の形態１でのテーピングリール５巻を収めた梱包箱を示す斜視図。
【図６】本発明の実施の形態１に係る梱包箱を示し、図６（ａ）は正面図、図６（ｂ）は背面図。
【図７】本発明の実施の形態１に係る梱包箱を示し、図７（ａ）は右側面図、図７（ｂ）は左側面図。
【図８】本発明の実施の形態１に係る梱包箱を示し、図８（ａ）は平面図、図８（ｂ）は底面図。
【図９】本発明の実施の形態１に係る梱包箱の展開図。
【図１０】本発明の実施の形態２でのテーピングリール２巻を収めた梱包箱を示す斜視図。
【図１１】本発明の実施の形態２に係る梱包箱を示し、図１１（ａ）は正面図、図１１（ｂ）は背面図。
【図１２】本発明の実施の形態２に係る梱包箱を示し、図１２（ａ）は右側面図、図１２（ｂ）は左側面図。
【図１３】本発明の実施の形態２に係る梱包箱を示し、図１３（ａ）は平面図、図１３（ｂ）は底面図。
【図１４】従来の梱包箱を示す斜視図。
【符号の説明】
【００３１】
１，２，３，４    側板部
１ａ，２ａ，３ａ，４ａ    折り曲げ凹部
２ｃ，４ｃ    傾斜面
５    接合板部   
６    稜
７    スリット
８    丸窓
１０    胴部
１１    底部
１２    上蓋
１５    切り込み線
１６    折り曲げ線
【図１】
2007099329.tif 000003
【図２】
2007099329.tif 000004
【図３】
2007099329.tif 000005
【図４】
2007099329.tif 000006
【図５】
2007099329.tif 000007
【図６】
2007099329.tif 000008
【図７】
2007099329.tif 000009
【図８】
2007099329.tif 000010
【図９】
2007099329.tif 000011
【図１０】
2007099329.tif 000012
【図１１】
2007099329.tif 000013
【図１２】
2007099329.tif 000014
【図１３】
2007099329.tif 000015
【図１４】
2007099329.tif 000016